(57)【特許請求の範囲】
【請求項１】
天面側の端部２ａに折線を介して天面閉鎖用内フラップ４ａが連設され、底面側の端部２ｂに折線を介して底面閉鎖用内フラップ４ｂが連設されている一対の矩形側壁板２，２と、
該矩形側壁板２の天面側の端部２ａ及び底面側の端部２ｂの位置よりも外方に等脚台形状に延出している端部領域３ｃを天面側及び底面側に有していて、該端部領域３ｃの台形上底に相当する天面側の端部３ａ及び底面側の端部３ｂに、両側部から折線を介して連設されている差込片５ｃを有する天面閉鎖用外フラップ５ａ及び底面閉鎖用外フラップ５ｂが折線を介して連設されている一対の八角形側壁板３，３とよりなり、
前記矩形側壁板２，２の天面閉鎖用内フラップ４ａ及び底面閉鎖用内フラップ４ｂは、それぞれのフラップ内を上下に２分する折線Ｌ４によって、前記外フラップ５ａ，５ｂの等脚台形状の端部領域３ｃにおける傾斜端部３ｄ，３ｄの長さに等しい上下幅を有しかつそれぞれに通気孔７が形成されている基端フラップ部４ａ１及び４ｂ１と先端フラップ部４ａ２及び４ｂ２とに区分されているとともに折線Ｌ４の幅方向対称箇所に該折線Ｌ４に沿って一対の差込孔４ｃ、４ｃが形成されていて天面及び底面に等脚台形状の３面体閉鎖構造部を形成する内フラップであり、
前記八角形側壁板３，３の天面閉鎖用外フラップ５ａ及び底面閉鎖用外フラップ５ｂは、前記等脚台形状の３面体閉鎖構造部の平坦頂面上に折り重ね、両側部の差込片５ｃを３面体閉鎖構造部の差込孔４ｃに差し込み係合して各３面体閉鎖構造部を固定する外フラップであることを特徴とする包装箱。
【請求項２】
前記天面閉鎖用外フラップ５ａ及び底面閉鎖用外フラップ５ｂの両側部に折線を介して連設されている差込片５ｃは、該外フラップ５ａ及び５ｂの両側部から対称形に突出形成されているＬ字状と逆Ｌ字状の突出部からなり、前記天面閉鎖用内フラップ４ａ内及び底面閉鎖用内フラップ４ｂ内に折線Ｌ４に沿った幅方向の対称位置に２箇所形成されている差込孔４ｃ、４ｃは、該折線Ｌ４に沿う細幅の切欠部と該切欠部に連続する切込線部よりなることを特徴とする請求項１記載の包装箱。
【請求項３】
前記矩形側壁板２，２の天面閉鎖用内フラップ４ａ，４ａ及び底面閉鎖用内フラップ４ｂ，４ｂは、それらの基端フラップ部４ａ１，４ａ１と４ｂ１，４ｂ１を、前記八角形側壁板３，３の等脚台形状の端部領域３ｃ，３ｃにおける傾斜対辺３ｄ，３ｄに沿って端部２ａ及び端部２ｂより斜めに折り曲げた後、該フラップ部内を区分する折線Ｌ４から先端フラップ部４ａ２及び４ｂ２を更に天面及び底面に平行に折り曲げて天面及び底面を等脚台形状に覆う３面体閉鎖構造部を形成する内フラップであり、前記八角形側壁板３，３の天面閉鎖用外フラップ５ａ，５ａ及び底面閉鎖用外フラップ５ｂ，５ｂは、前記端部３ａ及び端部３ｂからさらに折り曲げて前記３面体閉鎖構造部の平坦頂面上に折り重ねた状態で側部の差込片５ｃを差込孔４ｃに差し込み係合して３面体閉鎖構造部を固定する外フラップであることを特徴とする請求項１又は２に記載の包装箱。
【請求項４】
前記天面の閉鎖構造部と底面の閉鎖構造部が同一構造であることを特徴とする請求項１〜３のいずれか１項に記載の包装箱。
【請求項５】
前記一枚のブランクシートは、段ボール製及び板紙製のシートから選ばれる１種であることを特徴とする請求項１〜４のいずれか１項に記載の包装箱。
【発明の詳細な説明】
【技術分野】
【０００１】
本発明は、野菜、果物、生花等の商品を包装するための包装箱であって、通気性を保持した状態で積み重ねて保管、運搬することが求められる商品の包装に特に適した形状、構造を有する、一枚のブランクシートから形成されている包装箱に関する。
特に、本発明は、天面及び底面を確実に閉鎖可能であり、内容物を寝かせて収容した後に転倒させて内容物を立てた状態で運搬・保管することを可能とし、積み重ね状態での保管や運搬の作業中、常時包装箱内の通気性を維持して収容商品の鮮度を保持することが可能なノンステープルタイプの包装箱に関する。
【背景技術】
【０００２】
青果物や生花等を箱詰めして出荷する包装箱としては、工場生産され貼り合わされた状態で納品されるＪＩＳ−Ｚ１５０７の０２０１形式（旧Ａ−１形）の段ボール箱が多用されている。この０２０１形式の箱は、長方形状の４側板を一方向に連接し、その４側板の上下端に箱の底面及び天面を封鎖するための内フラップ及び外フラップを連接してなるほぼ直方体形状の箱である。
【０００３】
上記形式の箱は、商品収容状態で積み重ねた際に、箱体の面同士が密着した状態となるので、箱体内に収容した商品のために通気性を維持する必要がある場合に、箱体壁面に通気孔を形成しても積み重ねた状態では通気孔が塞がれて機能しないものとなるし、通気孔を機能させるために箱体間に隙間が形成されるように積み重ねると、不安定な積み重ね状態となって運搬時に荷崩れを起こす危険がある。
【０００４】
胴部が多面体形状の包装用容器として、胴部を側面パネル、端面パネル及び斜面パネルが２組連なった状態の八面体構造とした包装用容器等が提案されている（特許文献１、特許文献２）。これらの八面体構造の胴部を有する包装用容器を積み重ねるとその斜面パネル部において隣接する容器との間に空間部が形成されるので、該斜面パネル部に通気孔を形成すると通気性を維持した状態での積み重ね運搬が可能である。しかし、多数積層して運搬する際の安定性は、包装箱の胴部面が全面接触する直方体形状の箱のように安定ではない。
【０００５】
また、生花や葉物野菜等は、立てた状態で保持することが鮮度保持の観点から望ましいが、内容物を収容する際は、作業効率上寝かせて行うことが望ましい。そこで、内容物を収容後に包装容器を９０°転倒させて内容物を起立させた状態で運搬、保管することが可能な包装箱が求められる。しかし、包装箱を転倒させると底面部、蓋部が側面となると、通常のノンステープルタイプの底面閉鎖構造では、係合が弱いため、衝撃や振動で蓋が開いてしまう問題があった。
【先行技術文献】
【特許文献】
【０００６】
【特許文献１】特開２０００−３２６９５４号公報
【特許文献２】特開平０４−２３９４４２号公報
【発明の概要】
【発明が解決しようとする課題】
【０００７】
上記のような胴部が八面体構造の包装容器の場合、上面及び底面の閉鎖構造が、側面板、端面板及び斜面板のそれぞれの上端及び下端に連接した閉鎖部材を組み合わせた構造となるので、上面及び底面の閉鎖構造部を形成する作業が煩雑となるという問題もある。
本発明は、特に収容商品の通気性を確保した状態での取り扱い、運搬が必要な青果物や生花類の包装箱として適しており、商品を収容する作業、天面及び底面の閉鎖作業がし易く、また、内容物を寝かせて収容した後に転倒させて内容物を立てた状態として運搬、保管することを可能とした、一枚の段ボールや板紙からなるブランクシートから矩形胴部と３面体構造の天面及び底面の閉鎖部を形成する包装箱に関する以下の発明から選択される発明である。
【課題を解決するための手段】
【０００８】
（１）天面側の端部２ａに折線を介して天面閉鎖用内フラップ４ａが連設され、底面側の端部２ｂに折線を介して底面閉鎖用内フラップ４ｂが連設されている一対の矩形側壁板２，２と、
該矩形側壁板２の天面側の端部２ａ及び底面側の端部２ｂの位置よりも外方に等脚台形状に延出している端部領域３ｃを天面側及び底面側に有していて、該端部領域３ｃの台形上底に相当する天面側の端部３ａ及び底面側の端部３ｂに、両側部から折線を介して連設されている差込片５ｃを有する天面閉鎖用外フラップ５ａ及び底面閉鎖用外フラップ５ｂが折線を介して連設されている一対の八角形側壁板３，３とよりなり、
前記矩形側壁板２，２の天面閉鎖用内フラップ４ａ及び底面閉鎖用内フラップ４ｂは、それぞれのフラップ内を上下に２分する折線Ｌ４によって、前記外フラップ５ａ，５ｂの等脚台形状の端部領域３ｃにおける傾斜端部３ｄ，３ｄの長さに等しい上下幅を有する基端フラップ部４ａ１及び４ｂ１と先端フラップ部４ａ２及び４ｂ２とに区分されているとともに折線Ｌ４の幅方向対称箇所に該折線Ｌ４に沿って一対の差込孔４ｃ、４ｃが形成されていて天面及び底面に等脚台形状の３面体閉鎖構造部を形成する内フラップであり、
前記八角形側壁板３，３の天面閉鎖用外フラップ５ａ及び底面閉鎖用外フラップ５ｂは、前記等脚台形状の３面体閉鎖構造部の平坦頂面上に折り重ね、両側部の差込片５ｃを３面体閉鎖構造部の差込孔４ｃに差し込み係合して各３面体閉鎖構造部を固定する外フラップであることを特徴とする包装箱。
【０００９】
（２）前記天面閉鎖用外フラップ５ａ及び底面閉鎖用外フラップ５ｂの両側部に折線を介して連設されている差込片５ｃは、該外フラップ５ａ及び５ｂの両側部から対称形に突出形成されているＬ字状と逆Ｌ字状の突出部からなり、前記天面閉鎖用内フラップ４ａ内及び底面閉鎖用内フラップ４ｂ内に折線Ｌ４に沿った幅方向の対称位置に２箇所形成されている差込孔４ｃ、４ｃは、該折線Ｌ４に沿う細幅の切欠部と該切欠部に連続する切込線部よりなることを特徴とする（１）項記載の包装箱。
【００１０】
（３）前記矩形側壁板２，２の天面閉鎖用内フラップ４ａ，４ａ及び底面閉鎖用内フラップ４ｂ，４ｂは、それらの基端フラップ部４ａ１，４ａ１と４ｂ１，４ｂ１を、前記八角形側壁板３，３の等脚台形状の端部領域３ｃ，３ｃにおける傾斜対辺３ｄ，３ｄに沿って端部２ａ及び端部２ｂより斜めに折り曲げた後、該フラップ部内を区分する折線Ｌ４から先端フラップ部４ａ２及び４ｂ２を更に天面及び底面に平行に折り曲げて天面及び底面を等脚台形状に覆う３面体閉鎖構造部を形成する内フラップであり、前記八角形側壁板３，３の天面閉鎖用外フラップ５ａ，５ａ及び底面閉鎖用外フラップ５ｂ，５ｂは、前記端部３ａ及び端部３ｂからさらに折り曲げて前記３面体閉鎖構造部の平坦頂面上に折り重ねた状態で側部の差込片５ｃを差込孔４ｃに差し込み係合して３面体閉鎖構造部を固定する外フラップであることを特徴とする（１）項又は（２）項に記載の包装箱。
【００１１】
（４）前記矩形側壁板２，２の天面閉鎖用内フラップ４ａ，４ａ及び底面閉鎖用内フラップ４ｂ，４ｂのそれぞれにおける前記基端フラップ部４ａ１，４ａ１及び４ｂ１，４ｂ１に通気孔７が形成されていることを特徴とする（１）項〜（３）項のいずれか１項に記載の包装箱。
【００１２】
（５）前記天面の閉鎖構造部と底面の閉鎖構造部が同一構造であることを特徴とする（１）項〜（４）項のいずれか１項に記載の包装箱。
【００１３】
（６）前記一枚のブランクシートは、段ボール製及び板紙製のシートから選ばれる１種である（１）項〜（５）項のいずれか１項に記載の包装箱。
【発明の効果】
【００１４】
本発明の包装箱は、商品収容状態で積み重ねた際に、積み重ね包装箱の矩形胴体面同士が密着した状態となるので積み重ね状態が安定で荷崩れの心配をせずに運搬できるし、箱体の天面及び底面の閉鎖構造が等脚台形状の３面体構造であり、積み重ねられた包装箱間に通気性の隙間を形成するので、該天面及び底面の閉鎖構造を形成しているフラップ内に包装箱内外に連通する通気孔を形成するだけで、収容状態で通気性を維持することが求められる青果物や生花類等の輸送用包装箱として特に適している。
【００１５】
本発明の包装箱は、一枚の段ボールシートや板紙シートを打ち抜いて形成されるブランクシートから矩形胴部を形成した状態で扁平に折り畳んで保管、運搬することができるし、商品収容作業現場での組立作業も、ノンステープル方式で天面及び底面の閉鎖構造部を組み立てる単純な構造であるので熟練作業者を必要としない。
【図面の簡単な説明】
【００１６】
【図１】本発明の包装箱を展開したブランクシートを示す図である。
【図２】図１のブランクシートから矩形胴部を形成した組み立て途中図である。
【図３】図２の状態に続く、底面閉鎖作業の途中状態を示す図である。
【図４】図３に続く、底面閉鎖部の固定作業を示す図である。
【図５】底面閉鎖作業を終了した図である。
【図６】商品収容した状態で天面及び底面の閉鎖作業を終了した状態を示す図である。
【発明を実施するための形態】
【００１７】
本発明の包装箱は、商品を収容する作業、天面及び底面を閉鎖する作業がし易い一枚の段ボールや板紙からなるブランクシートから矩形胴部と３面体構造の天面及び底面の閉鎖構造部を形成する包装箱である。
以下、図面を参照して本発明の包装箱を具体的に説明するが、本発明の包装箱は、図面に具体的に示された例に限定されるものではなく、特許請求の範囲記載の発明の技術的思想を逸脱することのない範囲で、図面に例示されている包装箱の形状、構造に種々の変更を加えた包装箱をも包含する。
【００１８】
図１は、本発明の包装箱を組み立てるためのブランクシートを示しており、段ボール製シートや板紙製シートを打ち抜いて形成されている。
図１に示すように、本発明の包装箱１を形成するブランクシート（１）は、包装箱の矩形胴部を形成する矩形側壁板２、八角形側壁板３、矩形側壁板２、八角形側壁板３が折線Ｌを介して連設されており、一方の八角形側壁板３の側端部には他方の矩形側壁板２の側端部と貼り合わせて矩形胴部を形成するための糊代部６が設けられている。
【００１９】
矩形胴部を形成する一方の一対の側壁板は矩形側壁板２，２であり、その天面側の端部２ａ及び底面側の端部２ｂには、該端部２ａを形成する折線Ｌ２を介して天面閉鎖用内フラップ４ａが連設され、端部２ｂを形成する折線Ｌ２を介して底面閉鎖用内フラップ４ｂが連設されている。そして、天面閉鎖用内フラップ４ａ内は、上下方向中間部において折線Ｌ４によって基端フラップ部４ａ１と先端フラップ部４ａ２に区分されており、底面閉鎖用フラップ４ｂ内も、上下方向中間部において折線Ｌ４によって基端フラップ部４ｂ１と先端フラップ部４ｂ２に区分されている。そして、天面閉鎖用フラップ４ａ内及び底面閉鎖用フラップ４ｂ内を２分している折線Ｌ４に沿った２箇所には、天面閉鎖用フラップ４ａと底面閉鎖用フラップ４ｂのそれぞれの幅方向対称位置に対称形の細幅切欠部とそれに連続する切り込み部を有する差込孔４ｃ、４ｃが形成されている。
また、基端フラップ部４ａ１及び４ｂ１のそれぞれには通気孔７が形成されている。
【００２０】
矩形胴部を形成する他方の一対の側壁板３，３は、その天面側の端部領域３ｃ及び底面側の端部領域３ｃが、矩形側壁板２の天面側の端部２ａ及び底面側の端部２ｂを形成している折線Ｌ２の延長線上の仮想線Ｌから上下方向に等脚台形状に突出している八角形状の側壁板３，３である。そしてその等脚台形状の端部領域３ｃには、台形の上底に相当する先端部３ａとなる折線Ｌ３を介して矩形の天面閉鎖用外フラップ５ａと底面閉鎖用外フラップ５ｂが連設されており、該天面閉鎖用外フラップ５ａと底面閉鎖用外フラップ５ｂの各側部には折線Ｌ５を介して側方に突出している差込片５ｃが連設されている。
【００２１】
差込片５ｃは、図示されているように、天面閉鎖用外フラップ５ａ及び底面閉鎖用外フラップ５ｂの各側縁から側方に延出した状態から該側縁に平行に上方に屈曲しているＬ字形と、Ｌ字形と対称である逆Ｌ字形とからなる一対の差込片とすることにより、上方に屈曲している部位が、前記天面や底面を閉鎖する内フラップ内に形成されている差込孔４ｃ内に差し込まれた状態で内フラップ内面に引っかかって抜けにくい差込片とすることができる。
【００２２】
矩形側壁板２，２の天面閉鎖用内フラップ４ａ及び底面閉鎖用内フラップ４ｂのそれぞれの高さ（折線Ｌ２からフラップ先端までの距離）は、八角形側壁板３における前記端部領域３ｃと矩形の天面閉鎖用外フラップ５ａ（又は底面閉鎖用外フラップ５ｂ）の高さの和（即ち、仮想線Ｌから外フラップ先端までの距離）と等しくなるように設定されている。また、天面閉鎖用外フラップ３の端部領域３ｃとなっている等脚台形の傾斜対辺である両側の傾斜端部３ｄの長さと、天面閉鎖用内フラップ４ａ及び４ｂにおける基端フラップ部４ａ１及び４ｂ１の高さ（即ち、折線Ｌ２と折線Ｌ４の間の距離）も等しく設定されている。
【００２３】
上記のように、天面閉鎖用外フラップ５ａの端部領域３ｃにおける傾斜端部３ｄの長さと天面閉鎖用内フラップ４ａにおける基端フラップ部４ａ１の高さ、及び底面閉鎖用外フラップ５ｂの端部領域３ｃにおける傾斜端部３ｄの長さと底面閉鎖用内フラップ４ｂにおける基端フラップ部４ｂ１の高さを等しくすることにより、天面及び底面を覆う内フラップ４ａ及び４ｂの基端フラップ部４ａ１及び４ｂ１を、天面閉鎖用外フラップ５ａ及び底面閉鎖用外フラップ５ｂの端部領域３ｃにおける傾斜端部３ｄに沿って斜めに折り曲げた後、さらに先端フラップ部４ａ２，４ｂ２を天面及び底面に平行に折り曲げて両先端フラップ部の先端縁同士を突き合わせた状態として天面及び底面の全面を覆った場合の天面及び底面の外形が、垂直方向の断面形状が等脚台形となる３面体構造である内側閉鎖構造部を形成することができる。
【００２４】
また、上記３面体構造の内側閉鎖構造部の外面に折り重ねられる一対の天面側閉鎖用外フラップ５ａの高さ（八角形側壁板３の端部３ａとなる折線Ｌ３から両外フラップ先端縁までの距離）の和は、天面閉鎖用内フラップ４ａの幅（矩形側壁板２の幅に等しい）と等しくなるように設定され、同様に、一対の底面側閉鎖用外フラップ５ｂの高さ（八角形側壁板３の端部３ｂとなる折線Ｌ３から外フラップ５ｂの先端縁までの距離）の和は、底面閉鎖用内フラップ４ｂの幅（矩形側壁板２の幅に等しい）と等しくなるように設定される。
天面及び底面の外フラップのサイズを上記の様に設定することにより、外フラップによって内フラップによる前記３面体構造の内側閉鎖部の台形上底に相当する平坦頂面全体を覆った状態で内部閉鎖構造を固定することができる。
【００２５】
図１のブランクシートから本発明の包装箱を組み立てる手順を図１〜図６を参照して以下に説明する。
まず、図１のブランクシートを、矩形胴部を形成する、矩形側壁板２、八角形側壁板３、矩形側壁板２、八角形側壁板３の順にそれぞれの間を区分している折線Ｌ１において直角に折り曲げて、最初の矩形側壁板２の側縁部に最後の八角形側壁板３の側縁に連設されている糊代６を貼り付けて図２に示す矩形胴部を有する筒状体を形成する。
【００２６】
次に、矩形側壁板２，２の底面側閉鎖用内フラップ４ｂ，４ｂの各基端フラップ部４ｂ１を、隣接する八角形側壁板３の等脚台形状の端部領域３ｃの傾斜端部３ｄに沿うように、端部２ｂを形成する折線Ｌ２より傾斜状態に折り曲げた後、該底面側閉鎖用内フラップ４ｂ内を２分している折線Ｌ４より先端フラップ部４ｂ２部分を底面に平行に折り曲げて相対する先端同士を突き合わせた状態とすることにより図３に示す台形に突出する３面体構造の底面閉鎖構造部を形成する。
【００２７】
次に、図４に示すように、一方の八角形側壁板３の底面側閉鎖用外フラップ５ｂを、その両側部に突設している差込片５ｃを折線Ｌ５から内側に直角に折り曲げた状態とした後、八角形側壁板３の端部３ｂとなる折線Ｌ３から前記３面体形状に突出している底面閉鎖構造部における一対の先端フラップ部４ｂ２によって形成されている頂部平坦面上に折り重ねると同時に、差込片５ｃを相対する差込孔４ｃに差し込み、同様にして、他方の八角形側壁板３の底面側閉鎖用外フラップ５ｂを残りの頂部平坦面上に折り重ね、差込片５ｃを相対する差込孔４ｃに差し込んで図５に示すように３面体形状に突出している底面閉鎖構造部を固定する。
【００２８】
上記のように底面を閉鎖した状態の包装箱内に天面側から青果物等を収容した後、図２から図５に示す底面閉鎖構造部を形成する手順と同様の手順により、最初に相対する一対の天面側閉鎖用内フラップ４ａの各基端側フラップ部４ａ1を、隣接する八角形側壁板３の等脚台形状の端部領域３ｃの傾斜端部３ｄに沿って折線Ｌ２より傾斜状態に折り曲げた後、該天面側閉鎖用内フラップ４ａ内を２分している折線Ｌ４より先端フラップ部４ａ２部分を天面に平行に折り曲げて相対する先端同士を突き合わせた状態とすることにより垂直方向の断面形状が等脚台形となる３面体形状に突出している内側の天面閉鎖構造部を形成する。
【００２９】
次に、一方の八角形側壁板３の天面側閉鎖用外フラップ５ａを、その両側部から突設している差込片５ｃを折線Ｌ５から内側に直角に折り曲げた状態とした後、八角形側壁板３の上端３ａとなる折線Ｌ３から前記３面体形状の天面閉鎖構造部における一対の先端フラップ部４ａ２によって形成されている頂部平坦面上に折り重ねると共に、差込片５ｃを相対する差込孔４ｃに差し込んで、図６に示すように内側の天面閉鎖構造部を固定して内容物を収容した包装箱を完成する。
【産業上の利用可能性】
【００３０】
上記のように形成されている内容物を収容した包装箱は、四角形の胴部と、垂直方向の断面形状が等脚台形となる三面体形状に突出した天面及び底面の閉鎖構造部を有しているため、内容物を収容した状態で運搬する際に、矩形胴部同士が接するように積み重ねることにより安定した積み重ね状態とすることができる。また、積み重ねられた状態で隣接する包装箱同士の天面及び底面の間には空気が常時流通できる隙間が生じて、天面閉鎖用内フラップや底面閉鎖用内フラップにおける基端フラップ部内に通気孔を形成すると包装箱内の通気性が常時維持されるので、保管時や運搬時に包装箱内を通気性に維持することが求められる青果物や生花等の商品の包装用として特に適している。
【符号の説明】
【００３１】
１：包装箱
２：矩形側壁板
２ａ:天面側端部
２ｂ:底面側端部
３：八角形側壁板
３ａ: 天面側端部
３ｂ: 底面側端部
３ｃ：等脚台形状端部領域
３ｄ：傾斜端部
４ａ：天面閉鎖用内フラップ
４ａ１：基端フラップ部
４ａ２：先端フラップ部
４ｂ：底面閉鎖用内フラップ
４ｂ１：基端フラップ部
４ｂ２：先端フラップ部
４ｃ：差込孔
５ａ：天面閉鎖用外フラップ
５ｂ：底面閉鎖用外フラップ
５ｃ：差込片
６：糊代
７：通気孔
Ｌ：仮想線（等脚台形の下底に相当）
Ｌ１〜Ｌ５：折線
【図１】
0005648582.tif 000002
【図２】
0005648582.tif 000003
【図３】
0005648582.tif 000004
【図４】
0005648582.tif 000005
【図５】
0005648582.tif 000006
【図６】
0005648582.tif 000007